(57)【要約】【課題】冷蔵庫の扉ポケットの固定位置を差し替え、収納高さを有効活用できるが、フランジ高さが固定のため、収納食品によっては落下の危険性を孕んでいた。本発明は扉ポケットの固定位置を差し替えることなく、扉ポケット差し替えの前と後の両方の高さの食品を同時に収納する扉ポケットを持つ冷蔵庫を提供する。【解決手段】扉ポケットの底面に段を設け、低底面４ｂ２と高底面４ｂ１とし、扉内板３の上土手８までの高さを異なるものとすることで、最大収納高さを複数種類とし、扉ポケット差し替え式の差し替える前と後の両方の高さの食品を同時に収納する。また前壁４ｔの高上端４ｔ１および低上端４ｔ２も段をつけ高さを変え、最大収納高さに収まる食品が落下しない高さとすることで、安全な扉ポケットを持つ冷蔵庫を提供する。【選択図】図１
2006038275.tif 000002
【特許請求の範囲】
【請求項１】
扉ポケットのポケット両側を挟み込むために扉内板に設けられ上下方向に伸びる土手と、前記土手の内側壁に前記ポケットを係止可能に設けられた内側壁側係止手段と、前記内側壁に接する前記ポケット横壁と、前記ポケット横壁に設けられ前記内側壁側係止手段に係合し前記ポケットを前記扉内板に位置決めして固定するポケット側係合手段と、前記ポケットに収納する食品の前記扉内板と対向する方向への落下を防止するポケット前壁と、前記ポケットの底を形成するポケット底部とを備え、前記ポケット底部を異なる高さとしたことを特徴とする冷蔵庫。
【請求項２】
ポケット前壁の高さをポケット底部の高さ位置に対応して違いを持たせることを特徴とする請求項１に記載の冷蔵庫。
【請求項３】
前記扉内板と接し、前記ポケット横壁の左右をつなぐポケット後壁を持つことを特徴とする請求項１または２に記載の冷蔵庫。
【請求項４】
前記ポケット底部の高さが変わる境界部で、前記ポケット後壁と前記ポケット前壁の間に、前記ポケットを左右に分割するリブを備えたことを特徴とする請求項１から３のいずれか一項に記載の冷蔵庫。
【請求項５】
前記ポケット底部の高さが変わる境界部で、前記ポケット後壁と前記ポケット前壁の間に、前記ポケットを左右に分割するリブの前面部は、前記ポケット前壁に当たらぬように所定の隙間を設けた請求項４に記載の冷蔵庫。
【請求項６】
上下に複数の扉ポケットを配置し、下側の扉ポケットが前記ポケット前壁の高さに違いを持たせたことを特徴とする請求項１から５のいずれか一項に記載の冷蔵庫。
【発明の詳細な説明】
【技術分野】
【０００１】
本発明は冷蔵庫の扉ポケットに関するものである。
【背景技術】
【０００２】
従来のこの種の冷蔵庫を、図３を用いて説明する。図３は従来の構造を備えた扉ポケットを示す要部の斜視図、図４は図３の扉ポケットの断面説明図である。図において１０１は冷蔵庫の扉本体、１０３は内板で、１０３ａは土手で、左右両側に縦方向の土手先端１０３ｂが形成されている。１０４は扉ポケットで、ボトルや、小物食品等を収納するものである。（例えば、特許文献１参照）
次に扉ポケット１０４の扉内板１０３への取り付け構造を説明する。扉内板１０３の土手１０３ａにはその内側壁に係止突起１０５を設けてあり、また、扉ポケット１０４の左右両外側面には係止溝が上下１０９ａ、１０９ｂに複数設けてあり、最上段係止溝から最下段係止溝のうちどれかひとつの係止溝を選択し、それを扉内板１０３の係止突起１０５に嵌合することによって、扉ポケット１０４の取り付け位置高さを変更することができる。さらに扉ポケット１０４の左右両端にはつば部１０４ａが形成され、扉ポケット１０４の係止溝１０９ａまたは１０９ｂを扉の土手１０３ａの係止突起１０５に嵌合させたとき、扉ポケットのつば部が土手先端１０３ｂに当接するように構成されている。このつば部が土手先端１０３ｂに当接していることにより、扉ポケット１０４の前部に比較的重いものを収納しても、扉ポケット１０４が扉土手１０３ａから脱落するのを防止することができる。この構造で、扉ポケット１０４を扉土手１０３ａに取り付けるには、図３に示す位置より扉ポケット１０４を上方に置いて、扉ポケット１０４のつば部１０４ａを扉土手１０３ａの土手先端１０３ｂに当接させた状態のまま下方に移動して扉ポケット１０４を図３に示す位置まで下げて、扉ポケット１０４の係止溝１０４ａまたは１０４ｂを扉土手１０３ａの係止突起１０５に嵌合させればよい。
【特許文献１】特開平８−３０３９３９号公報
【発明の開示】
【発明が解決しようとする課題】
【０００３】
上記従来技術は、扉ポケットの扉内板への上下取り付け位置はユーザの好みにより変更でき、高さ寸法による収納可能食品は拡大するが、フランジ高さは固定のため、収納食品によってはフランジ高さが不足し、扉開放時に食品落下などの危険性があった。また清掃などでポケットを外そうとする場合、嵌合部がきつくポケットを破損するおそれがあった。すなわち食品を収納する場合有効でなくスペースの利用が不完全で使いにくい冷蔵庫となっていた。
【０００４】
本発明は、上記従来の課題を解決するもので、扉ポケット内の収納スペースを有効かつ安全に活用するために、フランジ高さに違いを持たせた扉ポケットを提供することを目的とする。さらに本発明は清掃性を高めたものや、強度を高めた扉ポケットを提供することを目的とする。
【課題を解決するための手段】
【０００５】
上記従来の課題を解決するために本発明の冷蔵庫は、扉ポケットのポケット底部の高さが一様でなく、複数の高さを形成し、また扉ポケットはフランジ高さが一様でなく、複数の高さを形成し、また扉ポケットはポケットの後ろに壁を持たせ、また扉ポケットはポケットの左右をリブによって分割したものであり、さまざまな保存食品に対応できる扉ポケットの収納スペースを提供することができる。
【発明の効果】
【０００６】
本発明の冷蔵庫は、ポケットを差し替えることなくいろいろな高さの食品を収納し、さらに差し替えがないので収納する食品高さの想定が容易で落下しないフランジ高さを提供でき、清掃性も確保することができ、使い勝手の向上を図ることができる。
【発明を実施するための最良の形態】
【０００７】
請求項１に記載の発明は、扉ポケットのポケット両側を挟み込むために扉内板に設けられ上下方向に伸びる土手と、前記土手の内側壁に前記ポケットを係止可能に設けられた内側壁側係止手段と、前記内側壁に接する前記ポケット横壁と、前記ポケット横壁に設けられ前記内側壁側係止手段に係合し前記ポケットを前記扉内板に位置決めして固定するポケット側係合手段と、前記ポケットに収納する食品の前記扉内板と対向する方向への落下を防止するポケット前壁と、前記ポケットの底を形成するポケット底部とを備え、前記ポケット底部を異なる高さとしたものであり、ポケット底部から食品収納高さの限界である扉内板の上土手あるいは、上に位置する扉ポケットの底面までの距離が複数存在することになり、ポケットを差し替えることなく、扉の限られた高さを有効活用し、いろいろな高さの食品をいれることができる。
【０００８】
請求項２に記載の発明は、請求項１に記載の発明において、ポケット前壁の高さをポケット底部の高さ位置に対応して違いを持たせるものであり、ポケット底部からポケット前壁上端までのフランジ高さが高さ違いで複数存在することになり、ポケット底部から扉内板の上土手あるいは、上に位置する扉ポケットの底面、つまり食品収納高さの限界の距離に応じた、食品が落下しない高さの前壁を提供することができる。
【０００９】
請求項３に記載の発明は、請求項１または２に記載の発明において、前記扉内板と接し、前記ポケット横壁の左右をつなぐポケット後壁を持つものであり、ポケット横壁の扉内側への変形を防止でき、ポケットの落下を防止できる。
【００１０】
請求項４に記載の発明は、請求項１から３のいずれか一項に記載の発明において、前記ポケット底部の高さが変わる境界部で、前記ポケット後壁と前記ポケット前壁の間に、前記ポケットを左右に分割するリブを備えたものであり、扉開閉時など食品位置が不安定な状態時でも、前記高位置にある食品が前記リブにより支えられ、前記低位置への食品落下を防止することができる。
【００１１】
請求項５に記載の発明は、請求項４に記載の発明において、前記ポケット底部の高さが変わる境界部で、前記ポケット後壁と前記ポケット前壁の間に、前記ポケットを左右に分割するリブの前面部は、前記ポケット前壁に当たらぬように所定の隙間を設けたものであり、ポケット前壁とリブとの間の隙間に指および布巾が入る距離を確保でき、清掃性を向上することができる。また、前記ポケットが樹脂成型部品であるならば、前記前壁のリブ方向への樹脂収縮がなくなり、前記ポケットの意匠面に前記樹脂成型特有のヒケの発生を防止することができる。
【００１２】
請求項６に記載の発明は、請求項１から５のいずれか一項に記載の発明において、さらに上下に複数の扉ポケットを配置し、下側の扉ポケットが前記ポケット前壁の高さに違いを持たせたものであり、上側に位置する前記扉ポケットの底面の高さ位置が違うことで、下側の扉ポケットに置くことができる最大収納高さは異なるが、下側の前記扉ポケットの前記前壁上端の高さが違うことにより、前記扉ポケットの高底面の下に配置される扉ポケットに食品高さの高い食品を置いた際にも食品落下の危険のない安全な前壁上端高さを提供できる。
【００１３】
以下、本発明の実施の形態について、図面を参照しながら説明する。なお、この実施の形態によってこの発明が限定されるものではない。
【００１４】
（実施の形態１）
図１は本発明の実施の形態１における冷蔵庫の扉ポケットの斜視図である。図２は扉ポケット４と扉内板３の取り付けを示す斜視図である。
【００１５】
まず図で１は冷蔵庫の扉本体、３は扉内板である。扉内板３はＡＢＳ樹脂などのプラスチック板を真空成型加工したもので、左右両側に縦方向の土手３ａが形成されている。４は扉ポケットで、ボトルや、小物食品等を収納するものである。
【００１６】
次に扉ポケット４の扉内板３への取り付け構造を図２にて説明する。扉内板３の左右の土手３ａにはその内側壁に係止突起５が設けてある。係止突起５は例えば、真空成型により容易に成型できる。また、扉ポケット４にはその左右両側側面に係止リブ６があり、係止突起５に嵌合する形状を有している。さらに４ａは扉ポケットの左右両側に形成されたつば部で、扉ポケット４の係止リブ６を扉内板土手３ａの係止突起５に嵌合させたとき、つば部４ａが扉内板３の土手先端３ｂと当接するよう構成されている。つば部４ａが土手先端３ｂに当接していることにより、扉ポケット４の前部に比較的重いものを収納しても、扉ポケット４が扉内板３から脱落するのを防止できる。
【００１７】
次に図１にて扉ポケット４の詳細を説明する。扉ポケット４の底面に段を設け、高さ位置の高い底面を高底面４ｂ１とし、低い底面を低底面４ｂ２とする。また扉ポケット４の扉内板３とは相反する方向に位置する前壁４Ｔにも段を設け、高さ位置が高い前壁上端を高上端４Ｔ１、低い位置にある前壁上端を低上端４T２とする。この構成で、ポケットの差し替えをすることなくポケットに収納できる最大収納高さを複数にすることができる。まず、低底面４ｂ２と高底面４ｂ１から扉内板３の上土手８までの高さが異なり、ポケットに収納する最大収納高さを複数段階にできる。よってポケットを差し替えすることなく複数段階の高さの食品を収納することができる。また前壁の高さに段を設け高上端４Ｔ１の高さと低上端４T２を異なる高さとしたことで、食品が取り出し易くなり、かつ最大収納高さは上土手８により決まるので食品落下の危険のない高さを提供することができる。さらに扉ポケット４の下に位置する下扉ポケット７においては、扉ポケット４の高底面４ｂ１からと低底面４ｂ２からとでは下扉ポケット７の底面７ｂまでの高さが異なり、最大収納高さを複数種類提供し、複数段階の高さの食品を収納することができる。また下扉ポケット７にも段を設け、前壁７ｔの高さ位置の高い上端を高上端７T１、低い上端を低上端７ｔ２とし、扉ポケット４の高底面４ｂ１の下に高フランジ７Ｔ１が配置することで、食品落下の危険のない高さを提供することができる。
【００１８】
また扉ポケット４に前記高底面４ｂ１と前記低底面４ｂ２の境目に、前記後壁から扉ポケット前壁４の方向に、人間の手の指が入る隙間を開けて、左右を分かつリブをつけることで高底面４ｂ１から、低底面４ｂ２への食品の落下を防止し、さらに間口をあけることで前壁４ｔにリブによるヒケを出さず、意匠面で品位を保ちつつ、指が充分はいる大きさに間口をあけていることで清掃性も向上させることができる。
【産業上の利用可能性】
【００１９】
以上のように、本発明にかかる冷蔵庫は、扉ポケットの収納高さを有効活用し、食品の落下を防ぐものなので、ドアポケットを備えた食品貯蔵庫等の用途にも適用できる。
【図面の簡単な説明】
【００２０】
【図１】本発明の実施の形態１における冷蔵庫の扉ポケットの斜視図
【図２】同実施の形態における冷蔵庫の扉ポケットと扉内板の取り付けを示す斜視図
【図３】従来の冷蔵庫の扉ポケットを示す要部の斜視図
【図４】従来の冷蔵庫の扉ポケットを示す要部断面図
【符号の説明】
【００２１】
１    冷蔵庫の扉本体
３    扉内板
３ａ    土手
４    扉ポケット
４ｂ１    高底面
４ｂ２    低底面
４ｔ    扉ポケット前壁
４ｔ１    高上端
４ｔ２    低上端
４ｄ    ポケット分割リブ
５    係止突起
６    係止リブ
７    下扉ポケット
７ｔ    下扉ポケット前壁
７ｔ１    高上端
７ｔ２    低上端
【図１】
2006038275.tif 000003
【図２】
2006038275.tif 000004
【図３】
2006038275.tif 000005
【図４】
2006038275.tif 000006